(57)【要約】【課題】  本発明は、ビーズ飾りやネックレスなど、複数の装飾部材を連綴して構成される装飾品等の完成時における意匠を事前に確認するため、装飾品等を構成する装飾部材を設計通りの位置関係で実際に配置して、その様態を検討することのできる安価な用具を提供することを課題としている。【解決手段】  立体形状に形成される本体２の上面には、平板状のビーズ配置部21が設けられると共に、該ビーズ配置部21には、ビーズが配置位置から移動しないように移動範囲を規定するビーズ配置凹部21bが形成される。【選択図】図１
2006122514.tif 000002
【特許請求の範囲】
【請求項１】
複数の構成部材を連綴して構成される装飾品等の完成時におけるデザインを、実際に作成する前に確認するために使用される用具であって、
立体形状に形成される本体２の上面には、平板状のビーズ配置部21を有すると共に、該ビーズ配置部21には、ビーズが配置位置から移動しないように移動範囲を規定する環状形状とされたビーズ配置溝21aを有することを特徴とするビーズ飾り等用のデザイン用具。
【請求項２】
請求項１記載のものであって、
前記ビーズ配置部21には、並列して、または同心円状にビーズ配置溝21aが形成されることを特徴とするビーズ飾り等用のデザイン用具。
【請求項３】
請求項２記載のものであって、
ビーズ配置部21には、ビーズ配置溝21aの断面形状がＶ字状またはＵ字状であるビーズ配置溝21aが形成されることを特徴とするビーズ飾り等用のデザイン用具。
【請求項４】
請求項１乃至３記載のものであって、
ビーズ配置溝21aに配置されるビーズに対して上方から当接する状態で本体２に装着可能とされる開閉可能な上蓋３を具備することを特徴とするビーズ飾り等用のデザイン用具。
【請求項５】
請求項４記載のものであって、
前記上蓋３の取付け高さを規定する上蓋の取付け位置調節手段22が設けられていることを特徴とするビーズ飾り等用のデザイン用具。
【請求項６】
請求項５記載のものであって、
位置調節手段22としての係止凸または凹部が上蓋３及び本体２に設けられ、
上蓋３は、偶数多角形に形成される内壁32aを有する嵌合を備えると共に、前記内壁32aの角部には、対角位置に一対の係止凸または凹部が同じ高さで一組だけ設けられており、
該上蓋３が嵌合される本体２は、上蓋３の内壁32aと同じ偶数多角形に形成される外壁27aを有する嵌合部を備えると共に、前記外壁27aには、対角位置の角部に同じ高さで設けられる一組の凹または凸部からなる係止対が、組ごとに異なる高さで設けられていることを特徴とするビーズ飾り等用のデザイン用具。
【請求項７】
請求項５記載のものであって、
位置調節手段22としての係止凸または凹部が上蓋３及び本体２に設けられ、
上蓋３は、偶数多角形に形成される内壁32aを有する嵌合部を備えると共に、前記内壁32aの角部には、対角位置の角部に同じ高さで設けられる一組の凹または凸部からなる係止対が、組ごとに異なる高さで設けられており、
本体２は、前記上蓋３の内壁32aと同じ偶数多角形に形成される外壁27aを有する嵌合部を備えると共に、前記外壁27aの角部には、対角位置に一対の係止凸または凹部が同じ高さで一組だけ設けられていることを特徴とするビーズ飾り等用のデザイン用具。
【発明の詳細な説明】
【技術分野】
【０００１】
本発明は、ネックレスやブレスレットまたはストラップなど、人造石やビーズ玉などの装飾部材を連綴して構成される装飾品等の完成時における外観を確認するために使用されるトレーに関するものである。
【背景技術】
【０００２】
従来より、ビーズ飾りやネックレスなどの完成時のデザインを確認する方法として、次のような手段が存在していた。
即ち、最も簡単且つ手軽であり、古くから行われている手段として、紙面上に筆記具によってイラストを書く方法が存在している。
そして、新しく登場した手段としては、ドローイングソフトやＣＡＤソフト、もしくは専用に開発されたデザインツールなどを利用してコンピュータ上で意匠設計を行い、プリンターから印刷を行う方法が存在している。
【０００３】
【特許文献１】特開平10-201510号公報
【発明の開示】
【発明が解決しようとする課題】
【０００４】
しかしながら、イラストを書く方法に関しては、紙と鉛筆さえあれば誰であっても手軽に行うことができるという長所が存在する反面、絵を書くことが苦手な者にとっては、あまり簡単な方法とは言えないという問題が存在し、且つ、完成品の質感など、外観のイメージが正確に確認できない欠点があった。
さらに、ある程度熟達した者にとっても、大幅なデザイン修正やパーツの追加などに対応するためには、一旦書いた絵を消去するか、または加筆して描き直す必要があるため、完成までには相当の時間がかかり、気軽に複数のデザインを作成して検討しにくいという問題が存在していた。
また、コンピュータを使用してデザインを行う方法に関しては、質の高いカラー画像を作成することができるだけでなく、ソフトウェアの性能と使用者の技能次第で、実物に近い三次元データを作成して製作品の完成状態をシミュレーションすることができるという長所を有する反面、ソフトウェアの操作になじむまでに相当の学習が必要とされるだけでなく、費用面においても高額の投資が必要となるなどの問題が存在していた。
【０００５】
本発明は、以上説明した問題点に鑑みなされたものであり、誰であっても簡単且つ手軽に、ビーズ飾りやネックレスなどの完成状態における外観や色の組合せを確認することのできる、安価な用具を提供することを課題としている。
【課題を解決するための手段】
【０００６】
請求項１記載の発明は
複数の構成部材を連綴して構成される装飾品等の完成時におけるデザインを、実際に作成する前に確認するために使用される用具であって、
立体形状に形成される本体２の上面には、平板状のビーズ配置部21を有すると共に、該ビーズ配置部21には、ビーズが配置位置から移動しないように移動範囲を規定する環状形状とされたビーズ配置溝21aを有することを特徴とする。
尚、ビーズ配置溝21aについては、単独で設けることも複数設けることも可能である。また、本体２の形状に関しては、六角形や八角形などの多角形または円形や楕円形状等の形状とすることができる。
【０００７】
請求項２記載の発明は、請求項１記載のものであって、
前記ビーズ配置部21には、並列して、または同心円状にビーズ配置溝21aが形成されることを特徴とする。
【０００８】
請求項３記載の発明は、請求項２記載のものであって、
ビーズ配置部21には、ビーズ配置溝21aの断面形状がＶ字状またはＵ字状であるビーズ配置溝21aが形成されることを特徴とする。
【０００９】
請求項４記載の発明は、請求項１乃至３記載のものであって、
ビーズ配置溝21aに配置されるビーズに対して上方から当接する状態で本体２に装着可能とされる開閉可能な上蓋３を具備することを特徴とする。
【００１０】
請求項５記載の発明は、請求項４記載のものであって、
前記上蓋３の取付け高さを規定する上蓋の取付け位置調節手段22が設けられていることを特徴とする。
尚、取付け位置調節手段としては、係止凸部と係止凹部とを組み合わせ、単一の組合せで設ける場合、複数の組合せを同一高さまたは異なる高さに設ける場合がある。
【００１１】
請求項６記載の発明は、請求項５記載のものであって、
位置調節手段22としての係止凸または凹部が上蓋３及び本体２に設けられ、
上蓋３は、偶数多角形に形成される内壁32aを有する嵌合を備えると共に、前記内壁32aの角部には、対角位置に一対の係止凸または凹部が同じ高さで一組だけ設けられており、
該上蓋３が嵌合される本体２は、上蓋３の内壁32aと同じ偶数多角形に形成される外壁27aを有する嵌合部を備えると共に、前記外壁27aには、対角位置の角部に同じ高さで設けられる一組の凹または凸部からなる係止対が、組ごとに異なる高さで設けられていることを特徴とする。
【００１２】
請求項７記載の発明は、請求項５記載のものであって、
位置調節手段22としての係止凸または凹部が上蓋３及び本体２に設けられ、
上蓋３は、偶数多角形に形成される内壁32aを有する嵌合部を備えると共に、前記内壁32aの角部には、対角位置の角部に同じ高さで設けられる一組の凹または凸部からなる係止対が、組ごとに異なる高さで設けられており、
本体２は、前記上蓋３の内壁32aと同じ偶数多角形に形成される外壁27aを有する嵌合部を備えると共に、前記外壁27aの角部には、対角位置に一対の係止凸または凹部が同じ高さで一組だけ設けられていることを特徴とする。
【発明の効果】
【００１３】
本発明は以上説明したような形態で実施され、次のような効果を有する。
【００１４】
請求項１記載の発明によれば、
ビーズ配置溝21aにアクセサリを構成するビーズ玉や人造石などの装飾部材を実際並べて、ネックレスやブレスレットなどの製作品の完成状態を簡単に確認することができる。
【００１５】
請求項２記載の発明によれば、
ビーズ配置部21に並列または同心円状に形成されるビーズ配置溝21aを使用することにより、完成形態の異なる複数の製作品を同時に作成することや、寸法の異なる製作品を確認することができる。
【００１６】
請求項３記載の発明によれば、
ビーズ配置溝21aに配置されるビーズは、断面形状がＶ字状またはＵ字状であるビーズ配置溝21aの側壁に案内されて自動的にビーズ配置溝21aの中心線上に並ぶことになるため、ビーズの配置に乱れを生じることなく美しく配列することができる。
【００１７】
請求項４記載の発明によれば、
作業準備または作業を途中で中断した場合などには、選択した装飾部材を紛失しないように本体２と組合わせた状態で上蓋３を装着して、本体２と共に装飾部材を持ち運ぶことが可能となる。
【００１８】
請求項５記載の発明によれば、
取付け位置調節手段22を使用して上蓋３の取付け高さを調節し、上蓋３がビーズ配置溝21aに配置されるビーズに当接する位置で固定することにより、ビーズがビーズ配置溝21aの内からこぼれないように保持することが可能となり、作業を途中で中断した場合であっても、その状態のまま上蓋３を装着して本体２を持ち運ぶことが可能となる。
【００１９】
請求項６記載の発明によれば、
上蓋３に設けられる嵌合部の内壁と本体３に設けられる嵌合部の外壁が同じ偶数多角形に形成されているので、互いの角位置を合せて上蓋３を本体２に装着することができる。
そして、上蓋３の嵌合部内壁には、角部の対角位置に同一高さの凸または凹部が一組だけ設けられる一方、本体２の嵌合部外壁には、対角位置の角部に同じ高さで設けられる一組の凹または凸部からなる係止対が、各組ごとに異なる高さで設けられているので、蓋３を本体２に装着する際、合せる角位置を選択することにより、どの高さで蓋を係止させるか選択することが可能となる。
即ち、低い高さで設けられる係止部に係止させるか、高い位置の係止部に係止させるかは、上蓋３に設けられた一組の凸または凹部を、本体２のどの角部に設けられた係止部に嵌合されるかによって選択できるため、上蓋３を回して嵌合させる角位置を選ぶことにより簡単に選択することが可能となっている。
【００２０】
請求項７記載の発明によれば、
上蓋３に設けられる嵌合部の内壁と本体３に設けられる嵌合部の外壁が同じ偶数多角形に形成されているので、互いの角位置を合せて上蓋３を本体２に装着することができる。
そして、本体２の嵌合部外壁には、対角位置の角部に同一高さの凸または凹部が一組だけ設けられる一方、上蓋３の嵌合部内壁には、対角位置の角部に同じ高さで設けられる一組の凹または凸部からなる係止対が、各組ごとに異なる高さで設けられているので、蓋３を本体２に装着する際、合せる角位置を選択することにより、どの高さで蓋を係止させるかを択することが可能となる。
即ち、低い高さで設けられる係止部に係止させるか、高い位置の係止部に係止させるかは、本体２に設けられた一組の凸または凹部を、上蓋３のどの角部に設けられた係止部に嵌合されるかによって選択できるため、上蓋３を回して嵌合させる角位置を選ぶことにより簡単に選択することが可能となっている。。
【発明を実施するための最良の形態】
【００２１】
本体２は樹脂素材によって、立体形状に形成されており、その上面には、平板状のビーズ配置部21を有する。
そして、このビーズ配置部21には、ビーズ４が配置位置から移動しないように、ビーズ４の移動範囲を規定する環状形状とされたビーズ配置溝21aが形成されている。このビーズ配置溝21aに関しては、その断面形状がV字状のビーズ配置溝21aでり、このビーズ配置溝21aの外周形状に関しては、円状または楕円状とされるものである。
そして、本体２には、樹脂素材によって形成される上蓋３を備えており、該上蓋３は本体２の上部からビーズ配置部21と対向する位置に、開閉可能な状態で取付け可能とされている。
これにより、ビーズ配置溝21aにアクセサリを構成するビーズ４などの装飾部材を並べて、製作品の完成状態における意匠を簡単に確認することが可能とされている。
さらに、ビーズ等を配列した状態で上蓋を閉じることにより、作業途中であっても、その状態のまま本体２を保管したり、持ち運んだりすることが可能とされている。
【実施例】
【００２２】
以下、図面に基づいて本発明の実施例を詳細に説明する。
はじめに、図１及び図２を参照して、本発明に係る第一実施例を説明する。
図１は、第一実施例に係るビーズ飾り等用のデザイン用具１(以下、デザイン用具と記載)の外観及び構造を示しており、上図(A)は蓋をつけた状態での外観を、下図(B)はその断面構造を、それぞれ示している。
図１の(A)に示すように、第一実施例に係るデザイン用具１は、内部が視認可能となるように透明樹脂によって形成されており、底部が六角形をした角錐台に形成される本体２と、この本体に対して上方から装着可能となるように本体と略同形状に形成される上蓋３とから構成されている。
この上蓋３は、本体２に設けた係止凹部22と上蓋３に設けた係止凸部の係合によって、本体２から脱落することの無いように軽く本体２に係止されている。
次に本体２の構成に関して説明すると、本体２の上面には、ビーズ配置部である平面部21が設けられており、この平面部21の中央部には、実際にビーズが配設される場所となる円環状のビーズ配置溝21aが形成されている。このビーズ配置溝21aは、その断面形状が半円形またはU字状に形成されている。
なお、この円環状としたビーズ配置溝21aの直径は、ブレスレットなどを作成するために都合のよいように、人の腕と略同寸となる４〜８センチメートルの間で構成されていることが好ましい。
さらに、使用時においてビーズが平面部21から脱落することを防ぐために、前記平面部21の縁には、平面部21よりも一段高い周壁部23が形成されている。
第一実施例に係るデザイン用具１は以上説明したように構成されるものであり、図２に示すように、ビーズ配置溝21aの内部にビーズ４を配置することにより、容易にブレスレットなどの製作品の完成状態を確認することができる。
【００２３】
次に、図３を参照して、本発明に係る第２実施例を、前記第１実施例との相違点のみ簡潔に記載する。
図３は、第２実施例に係るデザイン用具１の構造を示しており、上図(A)は蓋を外した状態での本体２の平面図を、下図(B)は本体２の断面構造を、それぞれ示している。
図示するように、本実施例に係るデザイン用具１の特徴は周径の異なるビーズ配置溝21aが同心円状に二つ設けられている点にあり、このように構成することによって、大人用と子供用、男性用と女性用など、サイズの異なるビーズアクセサリを一つのデザイン用具1で作ることが可能とされている。
【００２４】
次に、図４を参照して、本発明に係る第３実施例を、前記第１実施例との相違点のみ簡潔に記載する。
図４は、第３実施例に係るデザイン用具１の構造を示しており、上図(A)は蓋を外した状態での本体２の平面図を、下図(B)はその断面構造を、それぞれ示している。
図示するように、本実施例に係るデザイン用具１の特徴は楕円形状に形成される大径のビーズ配置溝21aが設けられている点にあり、このように構成することによって、ネックレスなど、サイズの大きなビーズアクセサリを作ることが可能とされている。
【００２５】
次に、図５を参照して、本発明に係る第４実施例を、前記第１実施例との相違点のみ簡潔に記載する。
図５は、第４実施例に係るデザイン用具１の構造を示しており、上図(A)は蓋を外した状態での本体２の平面図を、下図(B)はその断面構造を、それぞれ示している。
図示するように、本実施例に係るデザイン用具１の特徴は本体２の中央に凹部を形成してビーズ収容部24とし、この内部に複数個のビーズを収容可能とした点にある。このように構成することによって、使用時には、ビーズ配置溝21aに配置するビーズ４をビーズ収容部24の中に予め集めておき、このビーズ収容部24からビーズ配置溝21aにビーズ４を移動させることで、ビーズ４の配置作業を効率よく行うことが可能となる。
さらに、作業を途中で中断する場合には、ビーズ収容部24の中にビーズ４を入れたまま上蓋３を本体２に装着することにより、ビーズ４を散乱させることなく保管することができ、作業を再開す場合には、上蓋３をを外すことで直ちに作業を始めることが可能となる。
【００２６】
次に、図６を参照して、本発明に係る第５実施例を、前記第１実施例との相違点のみ簡潔に記載する。
図６は、第５実施例に係るデザイン用具１の構造を示しており、上図(A)は蓋を外した状態での本体２の平面図を、下図(B)はその断面構造を、それぞれ示している。
図示するように、本実施例に係るデザイン用具１は、前記第４実施例の変形であり、ビーズ収容部24を本体２の中央ではなく、外周に設けて構成される。
このように構成すれば、本体２の中央にもう一つビーズ配置溝21aを設けて、サイズの異なるビーズアクセサリを一つのデザイン用具1で作ることが可能となる。
【００２７】
次に、図７を参照して、本発明に係る第６実施例を、前記第１実施例との相違点のみ簡潔に記載する。
図７は、第６実施例に係るデザイン用具１の構造を示しており、上図(A)は蓋を外した状態での本体２の外観図を、下図(B)は上図(A)に示すデザイン用具１を開いた状態を、それぞれ示している。
図示するように、本実施例に係るデザイン用具１の特徴は、右部材2Aと左部材2Bとを中央部でスライド可能に連結して構成される点にあり、寸法の異なる製作品を製作することが可能とされている。
図7では、本体２に装着される蓋を省略しているが、蓋に関しても本体２と同様の構造として、本体２に装着することができる。
本実施例においては、連結部ＡとＢでは左部材2Bが右部材2Aの上部に位置しており、連結部Cでは右部材2Aの舌状部25が左部材2Bの上部に位置している。すなわち、右部材2A左部材２bとが互い違いに組み合わさることにより、一方の部材を他方の部材から引き出し可能とされている。
【００２８】
次に、図８を参照して、本発明に係る第７実施例を、前記第１実施例との相違点のみ簡潔に記載する。
図８は、第７実施例に係るデザイン用具１の断面構造を示している。
図示するように、本実施例に係るデザイン用具１の特徴は、断面形状がV字型に形成されるビーズ配置溝21aが設けられている点にあり、寸法の異なるビーズ玉であっても常にビーズ配置溝21aの中央部に配置される。
このように構成することにより、使用時においてビーズ配置溝21aに配置されるビーズ玉の中心線を揃えて配置することができ、ビーズを美しく並べることが可能となる。
【００２９】
次に、図９を参照して、本発明に係る第８実施例を、前記第１実施例との相違点のみ簡潔に記載する。
図９は、第８実施例に係るデザイン用具１の断面構造を示している。
上図(A)は小径ビーズを保持する状態を示しており、下図(B)は、大径ビーズを保持する状態を示している。
図示するように、本実施例に係るデザイン用具１の特徴は、本体２に装着される上蓋３が異なる高さで係止されるように、本体２に配設位置が高さ方向で異なる複数の係止凹部22を設けた点にある。
本実施例においては、位置調節手段22としての第１係止凹部22aと第２係止凹部22bの２つの係止凹部が上下の位置関係で設けられており、寸法の異なる２種類のビーズに対応している。
【００３０】
次に、図10を参照して、本発明に係る第９実施例を、前記第１実施例との相違点のみ簡潔に記載する。
図10(Ａ)は、第９実施例に係るデザイン用具１の外観を示している。
図(Ｂ)は、本実施例における本体２の平面図を簡略に示している。
図示するように、本実施例に係るデザイン用具１の特徴は、上蓋３に一対の係止凸部31a・31bが同じ高さで一組だけ設けられると共に、本体２には、同じ高さで設けられる一対の凹凸部からなる係止対22c、22d、22eが、各組ごとに異なる高さでけられている点にある。
上蓋３には、本体２に嵌合される嵌合部としての側壁32が設けられている。この側壁32の内壁32aは、本体２の嵌合部としての側壁27の外壁27aと同じ六角形に形成されており、その角部には、対角位置に一対の係止凸部31a・31bが設けられている。
他方、本体２には、上蓋３と嵌合される嵌合部としての側壁27が設けられている。この側壁27の外壁27aは、上蓋３の嵌合部の内壁と同じ正六角形且つ上蓋３の嵌合部の内壁よりも若干小さい寸法で形成されている。そして、この外壁27aの角部には、対角位置に設けられる係止凹部を一組として成り、各組ごとに高さの異なる３組の係止対22c、22d、22eが設けられている。即ち、図(Ａ)に示すように係止対22cが高段部、22dが中段部、22eが下段部として設けられている。また、本体２には、図(Ａ)に示すように、各係止対22c、22d、22eの近傍には、各係止対の高さを示す数字「６・８・10」が型押しによって表示されている。
したがって、上蓋３を本体２に装着する際には、上蓋３に設けられる係止凸部31a・31bを本体２に設けられる係止対22c、22d、22eのうち、どの係止対に係止させるかを選択することによって、上蓋３の取付け高さを調節することが可能となっている。
具体的には、係止凸部31a・31bを係止対22cに係止させることで、上蓋３を高段位置に係止させることができ、同様に係止対22dに係止させれば中段部に、係止対22eに係止させれば低段部に、それぞれ係止させることができ、多様なサイズのビーズに対応することができる。
このように、各係止対22c、22d、22eをずらした位置に設ける場合、前記第８実施例と比較して、次の点で有利となる。
すなわち、第８実施例のように係止凹部22を直線状に設けた場合には、図(A)(B)に示すごとく、上蓋３を深く装着する際に、第１係止凹部22aを通過して第２係止凹部22bに至るため、上蓋３の装着時に２回の段付感が出るが、第１係止凹部22aと第２係止凹部22bの距離が近く数ミリしかない場合には力加減が難しくなり、とどちらの位置に係止しているのかを判別しにくくなるという問題がある。これに対し、本実施例に示すように、各係止対22c、22d、22eをずらした位置に配置しておけば、上蓋３の装着時に発生する段付感は１回になるため、上蓋３の装着位置を誤ることは無くなる。また、係止対の付近または係止対の上部に位置する平面部21などに上蓋３の取付け深さ示す表示を行って使用者を案内することも可能となる。
なお、この係止対22c、22d、22eと係止凸部31a・31bの配置関係は逆であってもよく、上蓋３に係止対を設け、本体２に係止凸部を設けても構わない。
また、各係止対の高さを示す表示に関しては、型押しによる数字の表示意外にも、印刷による文字の表示を行うことも可能である。例えば「高・中・低」のように印刷表示されるものであっても構わない。
【００３１】
次に、図11を参照して、本発明に係る第10実施例を、前記第９実施例との相違点のみ簡潔に記載する。
図11は、本実施例に係るデザイン用具１の上蓋３の平面図及び本体２の平面図を簡略に示している。左図が上蓋３の平面図であり、右図が本体２の平面図である。
図示されるように、本実施例においては、上蓋３側に高さの異なる３組の係止対31a・31b・31cが設けられると共に、本体２に同じ高さの係止凹部22c・22dが一組だけ設けられている。つまり、前記第９実施例とは逆に、上蓋３に設けられる高さの異なる係止対によって、蓋の取付け高さが調節可能とされている。
【００３２】
次に、図12を参照して、本発明に係る第11実施例を、前記第９実施例との相違点のみ簡潔に記載する。
図12は、本実施例に係るデザイン用具１の上蓋３の平面図及び本体２の平面図を簡略に示している。左図が上蓋３の平面図であり、右図が本体２の平面図である。
図示されるように、本実施例においては、上蓋３には、同じ高さで設けられる三つの係止凸部31aが一組だけ設けられると共に、本体２には、同じ高さで設けられる係止凹部を一組として成り、組ごとに高さの異なる二組の係止対22cと22dが設けられている。本実施例は以上説明したように構成されるものであり、３つの係止凸部31aによって上蓋３が係止されるため、前記第９実施例と比較して、上蓋３の取付け高さの調節範囲に関しては一段減って二段となるものの、上蓋３の取付け状態に関してはより安定した状態で取付けることが可能とされている。
【００３３】
次に、図13を参照して、本発明に係る第12実施例を、前記第９実施例との相違点のみ簡潔に記載する。
図13は、本実施例に係るデザイン用具１の上蓋３の平面図及び本体２の平面図を簡略に示している。左図が上蓋３の平面図であり、右図が本体２の平面図である。
図示されるように、本実施例においては、上蓋３と本体２が共に正８角形に形成されている。そして、上蓋３には一対の係止凸部31bが同じ高さで一組だけ設けられると共に、本体２には、同じ高さで設けられる係止凹部を一組として成り、組ごとに高さの異なる４組の係止対22c・22d・22e・22fが設けられている。
本実施例は以上説明したように構成されるものであり、前記第９実施例と比較して、取付け高さの調節範囲に関しては一段減増えて四段となり、より多く寸法の異なるビーズに対応することが可能とされている。
【００３４】
次に、図14を参照して、本発明に係る第13実施例を、前記第１実施例との相違点のみ簡潔に記載する。
図14(A)は、本実施例に係るデザイン用具１の外観及び断面構造を示している。(B)及び(C)は、本実施例に係るデザイン用具１の使用時における断面を簡略に示している。
図示するように、本実施例に係るデザイン用具１の特徴は、本体２に対して螺嵌される上蓋３の回旋数を調節することで、上蓋３の本体２に対する取付け深さが連続的に無段開で調節可能とされている点にある。
本体２と上蓋３は双方ともに中空円柱状に形成されており、本体２の外周部と上蓋３の内周部にネジ部が形成されており、本体２の上方から被せた上蓋３を時計方向に回転させることにより、上蓋３の取付け深さが連続的に深くなるように構成されている。
図(B)に示すように、小径ビーズを使用する場合には上蓋３を深く取付けることができ、(C)に示すように、大径ビーズを使用する場合には上蓋３を浅く取付けることができる。
【００３５】
次に、図15を参照して、本発明に係る第14実施例を、前記第１実施例との相違点のみ簡潔に記載する。
図15は、第14実施例に係るデザイン用具１の平面図を示している。
図示するように、本実施例に係るデザイン用具１の特徴は、円環状に形成されるビーズ配置溝21aの側部に直線状に形成されるビーズ配置溝21aが設けられている点にあり、この直線状に形成されるビーズ配置溝21aを使用することにより、製作品を開いた状態での外観を確認することができる。
なお、図15では、直線状に形成されるビーズ配置溝21aが２本設けられる構成を記載しているが、直線状に形成されるビーズ配置溝21aの配置本数や配置位置に関しては、これに限定されるものではなく、適宜必要とされる本数を必要とされる場所に配設することが可能である。例えば、配置本数に関しては、一本であってもよく、配設位置に関しては、円環状に形成されるビーズ配置溝21aの内部であっても構わない。
【００３６】
次に、図16を参照して、本発明に係る第15実施例を、前記第１実施例との相違点のみ簡潔に記載する。
図16は、第15実施例に係るデザイン用具１の平面図を示している。
図示するように、本実施例に係るデザイン用具１の特徴は、ビーズ配置溝21aを複数の区画に分割する仕切り部21bが設けられている点にある。すなわち、ビーズ配置溝21aには、仕切り部材21bとなる凸部が一定間隔おきに連続して設けられており、この仕切り部21bによって区切られる１区画に１つのビーズが配置可能とされている。
なお、この仕切り部21bに関しては、前述した凸部を設ける以外にも、ビーズ配置溝21aを完全に分割する壁部を一定間隔おきに連設して仕切り部材21bとすることも可能である。
このように構成することにより、ビーズ配置溝21aに配置されるビーズ４がビーズ配置溝21aの周方向に転がってしまう問題を防止することができる。
【００３７】
次に、図17を参照して、本発明に係る第16実施例を、前記第１実施例との相違点のみ簡潔に記載する。
図17は、第16実施例に係るデザイン用具１の平面図を示している。
図示するように、本実施例に係るデザイン用具１の特徴は、ストラップの形状に似せたしずく型のビーズ配置溝21aが設けられている点にあり、このような形状とすることで、ストラップの完成状態の確認が容易とされている。
【００３８】
なお、本体２や上蓋３の外形形状に関しては、六角形や円形に限るものでなく、八角形などの多角形又は楕円形状とすることもできる。
また、本体２の構成に関しては、図１に示すように樹脂板から形成されるもの限るものでなく、例えば、ブロック状とした発泡スチロールや樹脂塊の上面にビーズ配置溝21a等を設けて構成することもできる。
また、ビーズ配置溝21aに関しては、図３に示すように同心円状に設けるだけでなく、並列して複数のビーズ配置溝21aを設けることも可能である。例えば、一つのビーズ配置溝21aの隣に一定間隔を置いてもう一つのビーズ配置溝21aを設けることができる。
【産業上の利用可能性】
【００３９】
装飾品等を構成する装飾部材を設計通りの位置関係で配置することにより、ブレスレットやネックレスまたはストラップなど、ビーズ装飾品の作成に際し、複数の装飾部材を連綴して構成される装飾品の完成時における外観を事前に把握し、検討することができる。
【図面の簡単な説明】
【００４０】
【図１】第一実施例に係るビーズ飾り等用のデザイン用具１(以下、デザイン用具と記載)の外観及び構造を示す図である。上図(A)は蓋をつけた状態での外観を、下図(B)はその断面構造を、それぞれ示している。
【図２】第一実施例に係るデザイン用具１の使用状態を示す図である。
【図３】第２実施例に係るデザイン用具１の構造を示す図である。上図(A)は蓋を外した状態での本体２の平面図を、下図(B)はその断面構造を、それぞれ示している。
【図４】第３実施例に係るデザイン用具１の構造を示す図である。上図(A)は蓋を外した状態での本体２の平面図を、下図(B)はその断面構造を、それぞれ示している。
【図５】第４実施例に係るデザイン用具１の構造を示す図である。上図(A)は蓋を外した状態での本体２の平面図を、下図(B)はその断面構造を、それぞれ示している。
【図６】第５実施例に係るデザイン用具１の構造を示す図である。上図(A)は蓋を外した状態での本体２の平面図を、下図(B)はその断面構造を、それぞれ示している。
【図７】第６実施例に係るデザイン用具１の構造を示す図である。上図(A)は蓋を外した状態での本体２の外観図を、下図(B)は上図(A)に示すデザイン用具１を開いた状態を、それぞれ示している。
【図８】第７実施例に係るデザイン用具１の断面構造を示す図である。
【図９】第８実施例に係るデザイン用具１の断面構造を示す図である。左図(A)は小径ビーズを保持する状態を示しており、右図(B)は、大径ビーズを保持する状態を示している。
【図１０】第９実施例に係るデザイン用具１の構造を示す図である。上図(A)は、第９実施例に係るデザイン用具１の外観を、図(Ｂ)は、本実施例における本体２の平面図を簡略に示している。
【図１１】第10実施例に係るデザイン用具１の上蓋３の平面図及び本体２の平面図を簡略に示している。左図は上蓋３の平面図を、右図は本体２の平面図を示している。
【図１２】第11実施例に係るデザイン用具１の上蓋３の平面図及び本体２の平面図を簡略に示している。左図は上蓋３の平面図を、右図は本体２の平面図を示している。
【図１３】第12実施例に係るデザイン用具１の上蓋３の平面図及び本体２の平面図を簡略に示している。左図は上蓋３の平面図を、右図は本体２の平面図を示している。
【図１４】(A)は、本実施例に係るデザイン用具１の外観及び断面構造を示す図である。(B)及び(C)は、本実施例に係るデザイン用具１の使用時における断面を簡略に示す図である。
【図１５】第14実施例に係るデザイン用具１の平面図である。
【図１６】第15実施例に係るデザイン用具１の平面図である。
【図１７】第16実施例に係るデザイン用具１の平面図である。
【符号の説明】
【００４１】
１  ビーズ飾り等用のデザイン用具(デザイン用具)
2A  右部材
2B  左部材
２b  左部材
２   本体
３   蓋
31a  係止凸部
31b  係止凸部
31c  係止凸部
４   ビーズ
４   蓋
21a  ビーズ配置溝(ビーズ配置凹部)
21b  部材
21   平面部
22   係止凹部(取付け位置調節手段)
22a  係止凹部
22b  係止凹部
22c  係止凹部
22d  係止凹部
22e  係止凹部
22f  係止凹部
23   周壁部
24   ビーズ収容部
25   舌状部
27   外壁部
A    連結部
B    連結部
C    連結部
【図１】
2006122514.tif 000003
【図２】
2006122514.tif 000004
【図３】
2006122514.tif 000005
【図４】
2006122514.tif 000006
【図５】
2006122514.tif 000007
【図６】
2006122514.tif 000008
【図７】
2006122514.tif 000009
【図８】
2006122514.tif 000010
【図９】
2006122514.tif 000011
【図１０】
2006122514.tif 000012
【図１１】
2006122514.tif 000013
【図１２】
2006122514.tif 000014
【図１３】
2006122514.tif 000015
【図１４】
2006122514.tif 000016
【図１５】
2006122514.tif 000017
【図１６】
2006122514.tif 000018
【図１７】
2006122514.tif 000019